(57)【要約】【課題】ＣＴ画像から脳虚血領域を迅速かつ正確に把握することができる急性期脳虚血病巣発見支援装置および急性期脳虚血病巣発見支援プログラムを提供する。【解決手段】ＣＴ画像取得部１１１は、患者の頭部の断面画像を取得する。ＣＴ画像取得部１１１で取得された頭部断面画像は、境界線設定部１１４に転送される。境界線設定部１１４は、断面画像の境界線をあらかじめ自動的に設定するが、ユーザに左右半球の境界線を指定させることもでき、頭部断面画像と頭部の左右半球の境界線を対応付ける。境界線設定部１１４で設定された境界線は、比較画像生成部１１５に転送される。比較画像生成部１１５は、境界線設定部１１４で設定された境界線を利用して頭部断面画像を反転させ、重ね合わせ画像の差分画像を作成する。【選択図】図１
2009153870.tif 000002
【特許請求の範囲】
【請求項１】
急性期脳虚血の診断を支援する急性期脳虚血病巣発見支援装置であって、
ＣＴ装置により撮影した頭部断面画像を取得する断面画像取得部と、
前記頭部断面画像と頭部の左右半球の境界線とを対応付ける境界線設定部と、
前記境界線で二分された前記頭部断面画像の一方を前記境界線で線対称に反転させ、前記頭部断面画像との比較画像を作成する比較画像生成部と、
前記比較画像を表示する表示部と、を備える急性期脳虚血病巣発見支援装置。
【請求項２】
請求項１記載の急性期脳虚血病巣発見支援装置であって、
前記比較画像生成部は、少なくとも前記頭部断面画像を前記境界線で線対称に反転させ、前記頭部断面画像との差分を求める処理を含む急性期脳虚血病巣発見支援装置。
【請求項３】
請求項１記載の急性期脳虚血病巣発見支援装置であって、
前記ＣＴ装置により取得した前記頭部断面画像に画像処理を加える急性期脳虚血病巣発見支援装置。
【請求項４】
請求項１記載の急性期脳虚血病巣発見支援装置であって、
前記比較画像に画像処理を加える急性期脳虚血病巣発見支援装置。
【請求項５】
請求項１記載の急性期脳虚血病巣発見支援装置であって、
前記表示部は、前記頭部断面画像と前記比較画像とを、動画として交互表示する急性期脳虚血病巣発見支援装置。
【請求項６】
請求項１記載の急性期脳虚血病巣発見支援装置であって、
ユーザが前記境界線を指定する操作部を備える急性期脳虚血病巣発見支援装置。
【請求項７】
請求項１記載の急性期脳虚血病巣発見支援装置であって、
前記表示部は、前記頭部断面画像と前記比較画像とを一枚の静止画として表示する急性期脳虚血病巣発見支援装置。
【請求項８】
急性期脳虚血の診断を支援する急性期脳虚血病巣発見支援プログラムであって、コンピュータを、
ＣＴ装置により撮影した頭部断面画像を取得する手段、
前記頭部断面画像と頭部の左右半球の境界線とを対応付ける手段、
前記境界線で二分された前記頭部断面画像の一方を前記境界線で線対称に反転させ、前記頭部断面画像との比較画像を作成する手段、
前記比較画像を表示させる手段、
として機能させるための急性期脳虚血病巣発見支援プログラム。
【発明の詳細な説明】
【技術分野】
【０００１】
本発明は、急性期脳虚血の診断を支援する急性期脳虚血病巣発見支援装置および急性期脳虚血病巣発見支援プログラムに関する。
【背景技術】
【０００２】
近年、コンピュータを用いた画像処理技術の進展に伴い、生体の内部を可視化する技術が注目されている。特に、医療分野では、生体内部を可視化することにより病巣を早期に発見することができるＣＴ（Computed Tomography）装置もしくはＭＲＩ（Magnetic Resonance Imaging）装置による医療診断が広く行われている。
【０００３】
一方、脳虚血とは、脳梗塞などにより脳を栄養する血液が不足することにより脳の機能が失われることを言う。特に急性期脳虚血の場合は、迅速な処置が、生命の維持、及び予後のために求められている。
【０００４】
従来、急性期脳虚血病巣の診断に当たっては、ＣＴ装置とＭＲＩ装置とを比較すると、頭骨の影響を受けずに撮影が出来るＭＲＩ装置が脳の診断には用いられてきた。一方で、近年ではＣＴ装置の画質の向上、及びＣＴ装置が安価なこと、脳クリップに対する禁忌がないことによりＣＴ装置による脳の診断も徐々に広まりつつある。
【０００５】
ところで、急性期脳虚血病巣は、脳の栄養が失われてからの経過時間が少なく組織自体は未だ壊死していないので、Ｘ線の吸収率の変化は少ない。よって、ＣＴ装置においてはわずかなCT値（3〜8HU：Hounsfield units：ハンスフィールド単位）の低下による皮質／白質のコントラストの消失として描出される(early CT sign)。これにより、約-1000〜1000の範囲で意味を持つCT値の3〜8程度の揺らぎは、周辺組織の形状や雑音に埋もれてしまう。その為に、虚血領域やその程度を判定するためにはＣＴ画像からＣＴ値低下を起こしている部分や脳溝が消失している部分を読み取るのは困難であった。
【０００６】
しかも、CT値の低下の前後の画像は臨床では入手できないので、画像上で判断するのは難しい。そこで、従来は左右野を見比べることによって組織のCT値の低下を類推していた（例えば、非特許文献１参照）。
【０００７】
一方、近年では、造影剤のボーラス投与(bolus injection)後の画像の変化を解析する灌流解析(perfusion)を利用して急性期脳虚血病巣を強調し、診断をすることが徐々に広まりつつある。
【０００８】
【非特許文献１】Improved CT diagnosis of acute middle cerebral artery territory infarcts with density-difference analysis, M.Bendszus 1995
【発明の開示】
【発明が解決しようとする課題】
【０００９】
しかしながら、従来のように左右野を見比べるのみでCT値の低下を判断するには熟練が必要であり、また主観的である。虚血に起因するＣＴ値低下や脳溝の消失は非常に微妙であり、経験及び知識の豊富な専門医でなければ読み取ることができないのが現状である。
【００１０】
また、灌流解析は、撮影時間中に頭部を固定することが必要であるとともに、撮影に先立って造影剤を注入することが必要であるため、必ずしも迅速な診断には資さなかった。特に急性期脳虚血病巣は、処置までに一分一秒を争うので、なおさらである。
【００１１】
なお、ＭＲＩ装置には、拡散強調画像(diffusion weighted image)のような虚血病巣発見を支援する撮影方法が存在する。しかし、一般的にＭＲＩ装置はＣＴ装置と比較して高額で、備わっていない医療機関も多い。そのため、ＣＴ装置を用いて虚血病巣発見を支援する技術が求められている。
【００１２】
本発明は、上記従来の事情に鑑みてなされたものであって、ＣＴ画像から脳虚血領域を迅速かつ正確に把握することができる急性期脳虚血病巣発見支援装置および急性期脳虚血病巣発見支援プログラムを提供することを目的としている。
【課題を解決するための手段】
【００１３】
本発明に係る急性期脳虚血病巣発見支援装置は、急性期脳虚血の診断を支援する急性期脳虚血病巣発見支援装置であって、ＣＴ装置により撮影した頭部断面画像を取得する断面画像取得部と、前記頭部断面画像と頭部の左右半球の境界線とを対応付ける境界線設定部と、前記境界線で二分された前記頭部断面画像の一方を前記境界線で線対称に反転させ、前記頭部断面画像との比較画像を作成する比較画像生成部と、前記比較画像を表示する表示部と、を備える。
【００１４】
上記構成によれば、頭部断面画像を境界線で反転させ頭部断面画像との比較画像を作成し表示することにより、比較画像の中に病変領域を浮かび上がらせることができるため、ユーザがＣＴ画像から脳虚血領域を迅速かつ正確に把握することができる。
【００１５】
また、本発明に係る急性期脳虚血病巣発見支援装置は、前記比較画像生成部が、少なくとも前記頭部断面画像を前記境界線で線対称に反転させ、前記頭部断面画像との差分を求める処理を含むものである。
【００１６】
上記構成によれば、少なくとも前記頭部断面画像を前記境界線で線対称に反転させ、頭部断面画像との差分を求めることにより、頭部の左右野を簡単に見比べることができる。
【００１７】
また、本発明に係る急性期脳虚血病巣発見支援装置は、前記ＣＴ装置により取得した前記頭部断面画像に画像処理を加えるものである。
【００１８】
上記構成によれば、ＣＴ装置により取得した頭部断面画像にフィルター処理等の画像処理を加えることにより、脳虚血領域の輪郭の強調等を行うことができる。
【００１９】
また、本発明に係る急性期脳虚血病巣発見支援装置は、前記比較画像に画像処理を加えるものである。
【００２０】
上記構成によれば、比較画像にフィルター処理等の画像処理を加えることにより、脳虚血領域の輪郭の強調等を行うことができる。
【００２１】
また、本発明に係る急性期脳虚血病巣発見支援装置は、前記表示部が、前記頭部断面画像と前記比較画像とを、動画として交互表示するものである。
【００２２】
上記構成によれば、頭部断面画像と比較画像とを動画として交互表示することにより、ＣＴ画像から脳虚血領域を容易に読み取ることができる。
【００２３】
また、本発明に係る急性期脳虚血病巣発見支援装置は、ユーザが前記境界線を指定する操作部を備える。
【００２４】
上記構成によれば、ユーザが境界線を指定することにより、頭部の左右半球の画像をより正確に重ね合わせることができる。
【００２５】
また、本発明に係る急性期脳虚血病巣発見支援装置は、前記表示部は、前記頭部断面画像と前記比較画像とを一枚の静止画として表示するものである。
【００２６】
上記構成によれば、前記頭部断面画像と前記比較画像とを一枚の静止画として表示することにより、臨床での１秒を争う緊急時に急性期脳虚血病巣の発見を支援することができる。
【００２７】
また、本発明に係る急性期脳虚血病巣発見支援プログラムは、急性期脳虚血の診断を支援する急性期脳虚血病巣発見支援プログラムであって、コンピュータを、ＣＴ装置により撮影した頭部断面画像を取得する手段、前記頭部断面画像と頭部の左右半球の境界線とを対応付ける手段、前記境界線で二分された前記頭部断面画像の一方を前記境界線で線対称に反転させ、前記頭部断面画像との比較画像を作成する手段、前記比較画像を表示させる手段、として機能させるための急性期脳虚血病巣発見支援プログラムである。
【００２８】
上記構成によれば、頭部断面画像を境界線で反転させ頭部断面画像との比較画像を作成し表示するので、比較画像の中に病変領域を浮かび上がらせることができるため、ユーザがＣＴ画像から脳虚血領域を迅速かつ正確に把握することができる。
【発明の効果】
【００２９】
本発明に係る急性期脳虚血病巣発見支援装置によれば、ＣＴ装置により撮影した頭部断面画像を取得する断面画像取得部と、頭部断面画像と頭部の左右半球の境界線を対応付ける境界線設定部と、前記境界線で二分された前記頭部断面画像の一方を前記境界線で線対称に反転させ、前記頭部断面画像との比較画像を作成する比較画像生成部と、比較画像を表示する表示部とを備えるので、比較画像の中に病変領域を浮かび上がらせることができ、ＣＴ画像から脳虚血領域を正確に読み取り、急性期脳虚血の診断を支援することができる。
【発明を実施するための最良の形態】
【００３０】
図１は、本発明の一実施形態にかかる急性期脳虚血病巣発見支援装置およびコンピュータ断層撮影（ＣＴ）装置を概略的に示す。コンピュータ断層撮影装置は、被検体の組織等を可視化するものである。Ｘ線源１０１からは同図に鎖線で示す縁部ビームを有するピラミッド状のＸ線ビーム束１０２が放射される。Ｘ線ビーム束１０２は、例えば患者１０３である被検体を透過しＸ線検出器１０４に照射される。Ｘ線源１０１及びＸ線検出器１０４は、本実施形態の場合にはリング状のガントリー１０５に互いに対向配置されている。リング状のガントリー１０５は、このガントリーの中心点を通るシステム軸線１０６に対して、同図に示されていない保持装置に回転可能（矢印a参照）に支持されている。
【００３１】
患者１０３は、本実施形態の場合には、Ｘ線が透過するテーブル１０７上に寝ている。このテーブルは、図示されていない支持装置によりシステム軸線１０６に沿って移動可能（矢印ｂ参照）に支持されている。
【００３２】
従って、Ｘ線源１０１及びＸ線検出器１０４は、システム軸線１０６に対して回転可能でありかつシステム軸線１０６に沿って患者１０３に対して相対的に移動可能である測定システムを構成するので、患者１０３はシステム軸線１０６に関して種々の投影角及び種々の位置のもとで投射されることができる。その際に発生するＸ線検出器１０４の出力信号はＣＴ画像に変換され、ＣＴ画像取得部１１１に供給される。
【００３３】
シーケンス走査の場合には患者１０３の層毎の走査が行なわれる。その際に、Ｘ線源１０１及びＸ線検出器１０４はシステム軸線１０６を中心に患者１０３の周りを回転し、Ｘ線源１０１及びＸ線検出器１０４を含む測定システムは患者１０３の２次元断層を走査するために多数の投影を撮影する。その際に取得された測定値から、走査された断層を表示する断層像が再構成される。相連続する断層の走査の間に、患者１０３はその都度システム軸線１０６に沿って移動される。この過程は全ての関心断層が捕捉されるまで繰り返される。
【００３４】
一方、スパイラル走査中は、Ｘ線源１０１及びＸ線検出器１０４を含む測定システムはシステム軸線１０６を中心に回転し、テーブル１０７は連続的に矢印ｂの方向に移動する。すなわち、Ｘ線源１０１及びＸ線検出器１０４を含む測定システムは、患者１０３に対して相対的に連続的にスパイラル軌道上を、患者１０３の関心領域が全部捕捉されるまで移動する。本実施形態の場合、同図に示されたコンピュータ断層撮影装置により、患者１０３の診断範囲における多数の相連続する断層信号がＣＴ画像に変換され、ＣＴ画像取得部１１１に供給される。
【００３５】
ＣＴ画像取得部１１１で取得された頭部のＣＴ画像は頭部断面画像として、境界線設定部１１４に転送される。
【００３６】
境界線設定部１１４は、ＣＴ画像取得部１１１で頭部断面画像として取得された頭部のＣＴ画像と頭部の左右半球の境界線とを対応付ける。頭部の左右半球の境界線は、あらかじめ自動的に設定されるものであってもよいし、ユーザに指定させることもできる。境界線設定部１１４で設定された境界線と対応付けられた頭部断面画像は、比較画像生成部１１５に転送される。比較画像生成部１１５は、境界線設定部１１４で設定された境界線で二分された頭部断面画像の一方（たとえば頭部の左半球に相当）を境界線で線対称に反転した反転画像と、頭部断面画像とを、境界線で位置合わせして、すなわち、反転画像が二分された頭部断面画像の他方に重なるように、重ね合わせ、その重ね合わせた画像の差分画像を作成する。
【００３７】
比較画像生成部１１５で作成された差分画像は、ディスプレイ１１６に供給され表示される。また、ディスプレイ１１６は、差分画像の他、ヒストグラムの合成表示、複数の画像の並列表示、複数の画像を順次表示するアニメーション表示、あるいはそれら複数の画像の同時表示などを行うことができる。
【００３８】
また、操作部１１３はＧＵＩ（Graphical User Interface）を含み、キーボードやマウスなどからの操作信号に応じて、頭部断面の設定、境界線の調整、および表示角度の設定を行い、設定値の制御信号を生成し、境界線設定部１１４、比較画像生成部１１５に供給する。これにより、ディスプレイ１１６に表示された画像を見ながら画像をインタラクティブに変更し、病巣領域の発見を支援することができる。なお、本実施形態において、操作部１１３、境界線設定部１１４、比較画像生成部１１５、およびディスプレイ１１６は、急性期脳虚血病巣発見支援装置を構成する。ただし、全自動処理をする場合には操作部１１３は、必須の構成ではない。
【００３９】
このように本実施形態にかかる急性期脳虚血病巣発見支援装置によれば、頭部断面画像と頭部の左右半球の境界線を対応付ける境界線設定部１１４と、頭部断面画像を境界線で線対称に反転した画像と、頭部断面画像との比較画像を作成する比較画像生成部１１５と、比較画像を表示するディスプレイ１１６とを備えるので、比較画像の中に病変領域を浮かび上がらせることができるため、ユーザはＣＴ画像から脳虚血領域を迅速かつ正確に把握でき、急性期脳虚血の診断を支援することができる。
【００４０】
図２は、本発明の実施形態にかかる急性期脳虚血病巣発見支援装置の動作を説明するためのフローチャートである。また、図３から図７は、本発明の実施形態にかかる急性期脳虚血病巣発見支援装置の各ステップにおける画像を示す。以下、図２のフローチャートについて図３から図７を参照して説明する。
【００４１】
本発明の実施形態にかかる急性期脳虚血病巣発見支援装置では、まず、ＣＴ装置が被検体の頭部をスキャンし、断層画像再構成に必要な角度分の投影データを収集し、ＣＴ画像取得部１１１に供給する。ＣＴ画像取得部１１１は頭部断面画像として、患者の脳の断面画像（頭部断面画像）を取得する（ステップＳ１１）。図３は、ＣＴ画像取得部１１１で生成された断面画像１１を示す。
【００４２】
ＣＴ画像取得部１１１において生成される断面画像１１は、通常はＣＴ値により輝度が異なって表示されるが、色変換関数を用いてＣＴ値に応じて色分けすることもできる。たとえば、ＣＴ値が約−１０００の空気を黒で表示し、ＣＴ値が約−１００の脂肪を橙で表示し、ＣＴ値が約０の水を青で表示することができる。また、ＣＴ値が約１００〜２００のその他の組織を緑で表示し、ＣＴ値が約１０００の骨を白で表示することができる。これによって組織を視覚的に把握しやすくすることが出来る。
【００４３】
次に、操作部１１３を介してユーザに左右半球の境界線を指定させ、境界線設定部１１４は断面画像１１と指定された境界線とを対応付ける（ステップＳ１２）。ステップＳ１２において、あらかじめ境界線を自動で決めておき、ユーザが画像を見ながら境界線を動かして修正することもできる。また、断面画像は、ＣＴ装置の回転軸（Ｚ軸）に対して垂直な面に関する画像である。左右半球の境界線は、スライス面（ＸＹ面）内で脳の左脳（左半球）と右脳（右半球）を分離する線である。図４は、境界線２１で分離された脳の左半球２２と右半球２３を示す。
【００４４】
次に、比較画像生成部１１５は、図５に示すように、境界線２１を利用して断面画像を線対称に反転させ、断面画像の反転画像３１を作成する（ステップＳ１３）。更に、断面画像と反転画像３１の差分を計算することにより差分画像を作成する（ステップＳ１４）。この場合、ユーザが境界線２１を動かして修正することにより、左右半球の画像を正確に重ね合わせることができる。
【００４５】
比較画像生成部１１５は更に、差分画像に対して、雑音除去処理、コントラスト強調処理、WW/WL(window width / window level)変換処理、輝度及び明るさ変更処理、血管除去処理などの画像処理を行うことができる。すなわち、比較画像生成部１１５は、差分画像を比較画像に変換する（ステップＳ１５）。これによって、周辺組織の形状や雑音に埋もれてしまうCT値の3〜8程度の揺らぎを可視化することが出来る。かかる変換処理は、例えば、中央値フィルターによって雑音を除去し、輝度を10〜100倍に拡大することによって行われる。また、虚血患部は一定の大きさを持つ範囲にあらわれるので、複数の画素を平均値化することも有効である。尚、差分画像をそのまま比較画像とすることもできる。
【００４６】
そして、図６に示すように、ディスプレイ１１６に比較画像４２を断面画像４３とともに表示する（ステップＳ１６）。比較画像４２では、たとえば右半球画像から左半球画像の差分をとり、画像処理を加えることによって、病変領域４１が強調される。したがって、比較画像４２の中で病変領域４２が浮かび上がって表示されるので、一枚のＣＴ画像から脳虚血領域を正確に読み取ることができる。
【００４７】
図７（ａ）は、ＣＴ画像取得部１１１で生成される脳の断面画像を示す。図７（ｂ）は、比較画像生成部１１５において、境界線を利用して画像を線対称に反転させて反転画像をつくり、断面画像と反転画像の差分画像を作成し、左半分に断面画像５１を表示し、右半分に比較画像５２を表示した例を示す。このように、比較画像５２には病巣５３が浮かび上がって表示されるので、ユーザは、一枚のＣＴ画像から脳虚血領域を迅速かつ正確に把握でき、急性期脳虚血の診断に役立てることができる。
【００４８】
以上説明したように、本実施形態にかかる急性期脳虚血病巣発見支援装置によれば、ＣＴ装置により頭部断面画像を取得し、頭部断面画像と頭部の左右半球の境界線を対応付け、頭部断面画像を境界線で反転した画像と頭部断面画像との比較画像を作成し、比較画像を表示すことにより、比較画像の中に病変領域を浮かび上がらせることができるため、ＣＴ画像から脳虚血領域を迅速かつ正確に把握でき、急性期脳虚血の診断に役立てることができる。従って、ＣＴ画像から脳虚血診断に有用な情報を提供し、脳虚血診断精度を向上し、効果的な治療方針を決定することができる。
【００４９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５０】
例えば、画像に対して境界線を動かすのではなく、境界線を画面の中央線に固定しておき、画像のほうを動かすこともできる。また、自動的に境界線の初期値を与えるようにしてもよい。さらに、ユーザが境界線を操作するのに応じて、動的に差分画像を作成することもできる。
【００５１】
また、比較画像を生成する場合の差分には絶対値を取るものととらないものの両方があるが、左右半球の差分以外の方法で比較画像を作成してもよい。また、断面画像にフィルター処理を行ってもよく、差分画像にフィルター処理を行ってもよい。
【００５２】
また、上記実施形態では頭部断面画像と比較画像とを一枚の静止画として表示したが、頭部の右側の画像、左側を反転させた画像、差分画像の内の２つの画像を交互に表示してもよい。
【００５３】
また、上記実施形態ではユーザが画像を見ながら境界線を動かして修正することもできたが、かかる操作は境界線や境界線の頂点をポインティングデバイスでドラッグする操作に限定されない。例えば、比較画像上でドラッグすることにより境界線を動かすことが出来る。また、アイコン類を用いて境界線を動かすことが出来る。
【００５４】
また、上記実施形態では、ＣＴ画像取得部１１１で取得された脳の断面画像を利用したが、他の画像を用いてもよい。例えば、ＣＴ装置を利用して作成されるボリュームデータを利用し、ボリュームデータから任意の断面を抽出しそれを脳の断面画像とすることも出来る。また、複数の断面を合成(平均値合成や最大値合成)した画像を脳の断面画像とすることも出来る。
【００５５】
また、上記実施形態では、ＣＴ画像取得部１１１で取得された脳の断面画像を利用したが、断面画像には画像処理を加えることが出来る。雑音除去処理やエッジ強調処理が考えられる。
【００５６】
また、上記実施形態では境界線設定部１１４が反転画像を作成したが、比較画像生成部１１５が断面画像の画素を逐次取得することにより反転画像を用いずに差分画像を作成できる。また、同様に画素を逐次取得することにより差分画像を用いずに比較画像を作成できる。
【００５７】
このように本実施形態にかかる急性期脳虚血病巣発見支援装置によれば、頭部断面画像を境界線で反転した画像と頭部断面画像との比較画像を作成し表示することにより、比較画像の中に病変領域を浮かび上がらせることができるため、ＣＴ画像から脳虚血領域を迅速かつ正確に把握することができる。
【産業上の利用可能性】
【００５８】
本発明は、ＣＴ画像から脳虚血領域を迅速かつ正確に把握することができる急性期脳虚血病巣発見支援装置および急性期脳虚血病巣発見支援プログラムとして利用可能である。
【図面の簡単な説明】
【００５９】
【図１】本発明の実施形態にかかる急性期脳虚血病巣発見支援装置およびコンピュータ断層撮影（ＣＴ）装置を概略的に示す図
【図２】本発明の実施形態にかかる急性期脳虚血病巣発見支援装置の動作を説明するためのフローチャート
【図３】ＣＴ画像取得部１１１で取得された脳の断面画像１１を示す図
【図４】境界線２１で分離された脳の左半球２２と右半球２３を示す図
【図５】境界線２１を利用して線対称の反転させた反転画像３１を示す図
【図６】ディスプレイ１１６に表示された比較画像４２を示す図
【図７】左半分に断面画像５１を右半分に比較画像５２を表示した例を示す図
【符号の説明】
【００６０】
１１，４３，５１  断面画像
２１  境界線
２２  左半球
２３  右半球
３１  反転画像
４１  病変領域
４２，５２  比較画像
５３  病巣
１０１  Ｘ線源
１０２  Ｘ線ビーム束
１０３  患者
１０４  Ｘ線検出器
１０５  ガントリー
１０６  システム軸線
１０７  テーブル
１１１  ＣＴ画像生成部
１１３  操作部
１１４  境界線設定部
１１５  比較画像生成部
１１６  ディスプレイ
【図１】
2009153870.tif 000003
【図２】
2009153870.tif 000004
【図３】
2009153870.tif 000005
【図４】
2009153870.tif 000006
【図５】
2009153870.tif 000007
【図６】
2009153870.tif 000008
【図７】
2009153870.tif 000009